(57)【要約】【課題】ＴＶ／ＦＭ多重放送受信装置の、ＦＭ多重放送受信時の音声信号のＳＮ比の悪化と、ＦＭ多重放送復調における誤り率を抑える。【解決手段】ＴＶ放送とＦＭ多重放送とを含む周波数帯域の信号を受信し、中間周波数の信号に変換する中間周波変換部１３、１４、１６、１７と、入力信号の帯域制限をする第１フィルタ１９と、それより広帯域で帯域制限する第２フィルタ２０と、中間周波変換部出力を第１、第２フィルタのいずれかに入力するフィルタ選択部２２と、帯域制限された出力を復調する復調部２１とを備え、ＴＶ放送受信時は第１フィルタ１９を選択して復調部から音声信号を出力し、ＦＭ多重放送受信時は第２フィルタ２０を選択して復調部２１からＦＭ多重信号を出力する。これにより、ＦＭ多重放送を受信することによるテレビ放送における音声信号のＳＮ比の悪化を抑え得る。【選択図】　　図１
2004040255.tif 000002
【特許請求の範囲】
【請求項１】
テレビジョン放送とＦＭ多重放送とを含む周波数帯域の音声信号情報を受信し、中間周波数の信号に変換する中間周波変換部と、入力信号の帯域制限を行なう第１フィルタと、前記第１フィルタより広い帯域で帯域制限する第２フィルタと、前記中間周波変換部の出力を前記第１フィルタと前記第２フィルタのいずれか一方を選択するフィルタ選択部と、前記フィルタ選択部で選択された出力を復調して復調信号を得る復調部とを備え、前記テレビジョン放送の受信時は前記フィルタ選択部で前記第１フィルタを選択して前記復調部から音声信号を出力し、前記ＦＭ多重放送受信時は前記フィルタ選択部で前記第２フィルタを選択して前記復調部からＦＭ多重信号を出力することを特徴とするテレビジョン受信装置。
【請求項２】
移動案内情報を表示出力するナビゲーション部を備え、前記ナビゲーション部の動作を選択した場合に、前記ナビゲーション部が前記フィルタ選択部で前記第２フィルタを選択して、前記復調部から出力するＦＭ多重信号を前記ナビゲーション部に入力し、前記ナビゲーション部でＦＭ多重信号を含む走行案内情報を出力することを特徴とする請求項１記載のテレビジョン受信装置。
【請求項３】
前記中間周波変換部が、前記テレビジョン放送からの映像出力信号を復調して出力し、前記ナビゲーション部からの表示出力と前記中間周波変換部からの映像信号とを選択出力する表示部を備え、前記表示部で前記中間周波変換部からの映像信号を出力する場合に前記フィルタ選択部で前記第１フィルタを選択して音声信号を得て、前記表示部で前記ナビゲーション部からの表示出力をする場合に前記フィルタ選択部で前記第２フィルタを選択してＦＭ多重信号を得ることを特徴とする請求項２記載のテレビジョン受信装置。
【請求項４】
前記フィルタ選択部を、前記中間周波変換部の出力を前記第１フィルタと前記第２フィルタのいずれかに選択的に入力する構成とし、前記第１フィルタおよび前記第２フィルタの出力をそれぞれハイインピーダンスとして合成して前記復調部へ出力する構成とし、前記フィルタ選択部で選択された前記第１フィルタと前記第２フィルタのいずれかの出力が、他方の出力によらず前記復調部へ出力されることを特徴とする請求項１乃至３のいずれかに記載のテレビジョン受信装置。
【発明の詳細な説明】
【０００１】
【発明の属する技術分野】
本発明は、例えば自動車、バス、電車等の車両に搭載されてＦＭ多重放送を受信する機能を兼ね備えたテレビジョン受信装置に関するものである。
【０００２】
【従来の技術】
従来、ＦＭ多重放送を受信可能なテレビジョン受信装置として、図４に示すようなＦＭ多重放送受信対応テレビジョン受信装置１００が知られている。
【０００３】
このＦＭ多重放送受信対応テレビジョン受信装置１００において、アンテナ１１１がＦＭ多重放送とテレビジョン放送（ＴＶ放送）の電波を捕らえ、捕らえた電波が電気信号に変換されて、ＦＭ多重放送受信対応テレビジョン受信装置１００内のチューナ１１３に入力される。
【０００４】
チューナ１１３は、入力された電気信号から映像信号と音声信号（ＦＭ多重信号を含む）とを異なるＳＡＷフィルタ（弾性表面波フィルタ）１１４などを用いて分離選択し、得られた音声信号を周波数変換して音声の中間周波数信号を生成し出力する。
【０００５】
その後、ＴＶ放送の音声信号またはＦＭ多重信号であるチューナ１１３から出力される中間周波数信号は、ＳＡＷフィルタ１１４の周波数の通過帯域は、ＴＶ放送の音声信号よりも広いＦＭ多重信号に合わせた帯域とされている。
【０００６】
そして、音声検波回路１１５では、帯域制限された中間周波数からベースバンド信号である音声信号またはＦＭ多重信号を生成し、音声信号はスピーカなどの図示しない音声出力装置などへ出力し、ＦＭ多重信号は例えば渋滞情報などのＶＩＣＳ情報であって、図示しないナビゲーション装置などに出力される。ここで、音声検波回路１１５から音声信号として音声出力装置へ出力するか、ＦＭ多重信号としてナビゲーション装置へ出力するかは、周波数が異なるＴＶ放送またはＦＭ多重放送を受信することをチューナ１１３で選択した結果で判別することができる。
【０００７】
またチューナ１１３では、受信信号から映像信号を復調し、図示しない表示装置などへ出力も行なう。
【０００８】
すなわち、従来のＦＭ多重放送を受信可能なテレビジョン受信装置１００においては、ＳＡＷフィルタ１１４の周波数帯域をＦＭ多重放送に合わせて広帯域とすることによって、ＴＶ放送の音声信号とＦＭ多重信号とを選択的に受信することができる。
【０００９】
【発明が解決しようとする課題】
しかしながら、このような従来のＦＭ多重放送を受信可能なテレビジョン受信装置１００では、ＴＶ放送の音声信号およびＦＭ多重信号の受信特性において以下の問題点があった。
・ＳＡＷフィルタ１１４の帯域を広げると、テレビ放送における音声信号のＳＮ比が悪くなり、雑音レベルが大きくなりやすい。
・ＳＡＷフィルタ１１４の帯域を広げると、テレビ放送の音声信号から隣接信号を除去しにくくなり、混信を受けやすい。
・また、ＳＡＷフィルタ１１４の帯域を逆に狭くすると群遅延などが大きくなってＦＭ多重信号の誤り率が大きくなりやすい。
【００１０】
本発明はこのような問題を解決するためになされたもので、その目的は、ＦＭ多重放送を受信可能なテレビジョン受信装置で、音声信号およびＦＭ多重信号の受信特性を向上したテレビジョン受信装置を提供するものである。
【００１１】
【課題を解決するための手段】
本発明のＦＭ多重放送受信対応テレビジョン受信装置は、テレビジョン放送とＦＭ多重放送とを含む周波数帯域の音声信号情報を受信し、中間周波数の信号に変換する中間周波変換部と、入力信号の帯域制限を行なう第１フィルタと、前記第１フィルタより広い帯域で帯域制限する第２フィルタと、前記中間周波変換部の出力を前記第１フィルタと前記第２フィルタのいずれか一方を選択するフィルタ選択部と、前記フィルタ選択部で選択された出力を復調して復調信号を得る復調部とを備えた構成を有している。この構成により、前記テレビジョン放送の受信時は前記フィルタ選択部で前記第１フィルタを選択して前記復調部から音声信号を出力し、前記ＦＭ多重放送受信時は前記フィルタ選択部で前記第２フィルタを選択して前記復調部からＦＭ多重信号を出力することができ、これにより、ＦＭ多重放送を受信することによるテレビ放送における音声信号のＳＮ比の悪化を抑えることができるとともに、中間周波近傍での耐ノイズ特性の改善が図れ、さらにＦＭ多重放送復調における誤り率を抑えることもできる。
【００１２】
また、本発明のテレビジョン受信装置は、移動案内情報を表示出力するナビゲーション部を備え、前記ナビゲーション部の動作を選択した場合に、前記ナビゲーション部が前記フィルタ選択部で前記第２フィルタを選択して、前記復調部から出力するＦＭ多重信号を前記ナビゲーション部に入力し、前記ナビゲーション部でＦＭ多重信号を含む走行案内情報を出力する構成を有している。このような構成により、ＦＭ多重放送で提供される走行案内情報を簡易な装置構成で得ることができ、テレビジョン装置の機能を増大させることが可能になる。
【００１３】
また、本発明のテレビジョン受信装置は、中間周波変換部が、前記テレビジョン放送からの映像出力信号を復調して出力し、前記ナビゲーション部からの表示出力と前記中間周波変換部からの映像信号とを選択出力する表示部を備え、前記表示部で前記中間周波変換部からの映像信号を出力する場合に前記フィルタ選択部で前記第１フィルタを選択して音声信号を得て、前記表示部で前記ナビゲーション部からの表示出力をする場合に前記フィルタ選択部で前記第２フィルタを選択してＦＭ多重信号を得る構成を有している。このような構成により、単一の表示部により異なったタイプの画像を良好な状態で表示することができる。
【００１４】
また、本発明のテレビジョン受信装置は、フィルタ選択部を、前記中間周波変換部の出力を前記第１フィルタと前記第２フィルタのいずれかに選択的に入力する構成とし、前記第１フィルタおよび前記第２フィルタの出力をそれぞれハイインピーダンスとして合成して前記復調部へ出力する構成とし、前記フィルタ選択部で選択された前記第１フィルタと前記第２フィルタのいずれかの出力が、他方の出力によらず前記復調部へ出力されるようにしたものであり、前記フィルタ選択部でフィルタを選択することにより、フィルタの帯域を広げなくても、一つの受信手段を用いてＦＭ多重放送とテレビ放送とを選出することができる。これにより、ＦＭ多重放送を受信することによるテレビ放送における音声信号のＳＮ比の悪化を抑えることができるとともに、中間周波近傍での耐ノイズ特性の改善が図れ、さらにＦＭ多重放送復調における誤り率を抑えることもできる。
【００１５】
【発明の実施の形態】
以下、本発明の実施の形態について、図面を用いて説明する。図１は本発明の一実施の形態に係るＦＭ多重放送を受信可能なテレビジョン受信装置（ＦＭ多重放送受信対応テレビジョン受信装置）の内部構成のブロックである。図１のＦＭ多重放送受信対応テレビジョン受信装置１０は、放送電波をキャッチするアンテナ１１と、ＴＶ信号・ＦＭ多重信号受信装置１２、ＴＶ／ＦＭ多重切替制御部３０を有する。
【００１６】
また、ＴＶ信号・ＦＭ多重信号受信装置１２は、ＲＦ回路高周波受信部１３と、映像用ＳＡＷフィルタ１４と、映像用ＳＡＷフィルタ１４の出力を基に映像データをディスプレイなどの表示手段に送出する映像検波回路１５と、音声用ＳＡＷフィルタ１６と、発振器１７と、音声用ＳＡＷフィルタ１６の出力と発振器１７の出力とを乗算する混合器１８と、混合器１８の出力のうち音声信号のフィルタリング動作（濾波）を行なう音声用セラミックフィルタ１９と、混合器１８の出力のうちＦＭ多重信号のフィルタリング動作を行なうＦＭ多重用セラミックフィルタ２０と、ＦＭ多重用セラミックフィルタ２０の出力信号を外部の出力手段に送出する音声検波回路２１と、音声用セラミックフィルタ１９とＦＭ多重用セラミックフィルタ２０との間でフィルタリング動作を切り替える切替スイッチ２２と、音声検波回路２１の出力をスピーカなどの音声出力手段、或いはＦＭ多重データの出力手段へ切り替え送出する出力切替スイッチ２３とを有している。
【００１７】
上記ＦＭ多重放送受信対応テレビジョン受信装置１０において、ＲＦ回路１３、映像用ＳＡＷフィルタ１４、音声用ＳＡＷフィルタ１６、発振器１７および混合器１８は、ＦＭ多重放送受信対応テレビジョン受信装置１０の受信信号に対して、映像信号や音声信号、或いはＦＭ多重放送に関係する周波数の中間周波信号を生成し出力する中間周波信号変換部としての機能を有する。
【００１８】
アンテナ１１は、ＦＭ多重放送とテレビ電波を捕らえ、その捕らえた電波を電気信号に変換し、ＴＶ信号・ＦＭ多重信号受信装置１２内の受信部としてのＲＦ回路１３に入力する。
【００１９】
ＲＦ回路１３は高周波受信部としての機能を有し、テレビ放送受信用のものであるが、ＦＭ多重放送にも対応するように受信帯域を広げてあり、電気信号が入力されると、入力された電気信号から所定の周波数の電気信号を選出し、選出した電気信号を周波数変換して中間周波信号を生成し出力する。また、ＲＦ回路１３は、ＦＭ多重放送受信対応テレビ受信装置１０がＦＭ多重放送を受信するモードに選択設定されているときには、中間周波信号の中からＦＭ多重放送に関係する周波数の中間周波信号を選出し、選出した中間周波信号を音声用ＳＡＷフィルタ１６に入力する。さらに、ＲＦ回路１３は、ＦＭ多重放送受信対応テレビ受信装置１０がテレビ放送を受信するモードに選択設定されているときには、中間周波信号の中からテレビ放送に関係する周波数の中間周波信号を選出し、選出した中間周波信号を音声用ＳＡＷフィルタ１６に入力するとともに、中間周波信号の中から映像信号に関係する周波数の中間周波信号を選出し、選出した中間周波信号を映像用ＳＡＷフィルタ１４に入力する。
【００２０】
映像用ＳＡＷフィルタ１４は、テレビ放送受信時の映像信号受信用の、例えば表面実装用の弾性表面波（ＳＡＷ）デバイスであって、またセラミックパッケージを用い、一般にセラミックフィルタと呼ばれて市販されているものである。この映像用ＳＡＷフィルタ１４は、テレビ放送の映像信号をフィルタリングする映像検波部としての機能を有し、ＦＭ多重放送受信対応テレビジョン受信装置１０がテレビ放送受信モードに設定されているとき、ＲＦ回路１３から入力された中間周波信号の中からテレビ放送の映像信号に関係する周波数の中間周波信号を選出し、選出した中間周波信号から映像信号を得、映像検波回路１５に送付する。
【００２１】
映像検波回路１５は、映像信号を復調して映像データを生成する復調手段としての機能を有し、生成した映像データを出力する。
【００２２】
音声用ＳＡＷフィルタ１６も同様に、テレビ放送受信時の音声信号受信用およびＦＭ多重信号受信時用の、例えば表面実装用の弾性表面波（ＳＡＷ）デバイスであって、またセラミックパッケージを用い、一般にセラミックフィルタと呼ばれているものである。音声用ＳＡＷフィルタ１６はテレビ放送の音声信号の受信帯域およびＦＭ多重信号をフィルタリングする機能を有する。そして、音声用ＳＡＷフィルタ１６は、ＦＭ多重放送受信対応テレビジョン受信装置１０がテレビ放送受信モードに設定されているとき、ＲＦ回路１３から入力された中間周波信号の中からテレビ放送の音声信号に関係する周波数の中間周波信号を選出し、選出した中間周波信号を出力する。また、音声用ＳＡＷフィルタ１６は、ＦＭ多重放送受信対応テレビジョン受信装置１０がＦＭ多重放送モードに設定されているとき、ＲＦ回路１３から入力された中間周波信号の中からＦＭ多重放送に関係する周波数の中間周波信号を選出し、選出した中間周波信号を出力する。
【００２３】
発振器１７は、音声用ＳＡＷフィルタ１６から出力された中間周波信号の周波数帯域を調整するための基準周波数信号を発生する。混合器１８は、音声用ＳＡＷフィルタ１６から出力された中間周波信号と発振器１７の出力信号とによってさらに本装置の仕様に応じた周波数に変換し、第２の中間周波信号を生成し出力する。
【００２４】
音声用セラミックフィルタ１９は、テレビジョン放送の受信時に、入力された音声信号の帯域制限を行なう第１フィルタとしての機能を有する。また、ＦＭ多重用セラミックフィルタ２０は、ＦＭ多重放送の受信時に、入力されたＦＭ多重信号の帯域制限を行なう第２フィルタとしての機能を有する。ＦＭ多重用セラミックフィルタ２０は音声用セラミックフィルタ１９よりも広い帯域で帯域制限動作を行なう。
【００２５】
音声検波回路２１は音声用セラミックフィルタ１９またはＦＭ多重用セラミックフィルタ２０により帯域制限された出力信号を復調して音声データを生成する復調手段としての機能を有し、生成した音声データを出力する。
【００２６】
切替スイッチ２２は、音声用ＳＡＷフィルタ１６が出力した音声信号或いはＦＭ多重信号をそれぞれ音声用セラミックフィルタ１９とＦＭ多重用セラミックフィルタ２０へ入力するよう接続切り替えするためのフィルタ選択手段を構成している。この切替スイッチ２２は、ＦＭ多重放送受信対応テレビジョン受信装置１０がＦＭ多重放送を受信するＦＭ多重放送モードに設定されているとき、ＦＭ多重用セラミックフィルタ２０が音声用ＳＡＷフィルタ１６の出力部に接続されるように切り替えられる。また、ＦＭ多重放送受信対応テレビジョン受信装置１０がテレビ放送を受信するテレビ放送モードに設定されているとき、音声用セラミックフィルタ１９が音声用ＳＡＷフィルタ１６の出力部に接続されるように切り替えられるもので、その切り替え操作はＴＶ／ＦＭ多重切替制御部３０により制御される。
【００２７】
出力切替スイッチ２３は、音声検波回路２１が出力した音声データの出力先を切り替え操作するものである。この出力切替スイッチ２３は、ＦＭ多重放送受信対応テレビジョン受信装置１０がＦＭ多重放送を受信するＦＭ多重放送モードに設定されているとき、音声検波回路２１が出力した音声データがＦＭ多重信号を受信する（或いは利用する）機器（後出のナビゲーション装置）に出力されるように切り替えられる。また、出力切替スイッチ２３は、ＦＭ多重放送受信対応テレビジョン受信装置１０がテレビ放送を受信するテレビ放送モードに設定されているとき、音声検波回路２１が出力した音声データが音声出力機器（後出の音響装置）に出力されるように切り替えられるもので、その切り替え操作はＴＶ／ＦＭ多重切替制御部３０により制御される。
【００２８】
また、ＴＶ／ＦＭ多重切替制御部３０はマイクロコンピュータなどから構成され、切替スイッチ２２および出力切替スイッチ２３に接続されて、これらの切替スイッチ２２および出力切替スイッチ２３の動作をコントロールするようになっている。
【００２９】
図２は上記のような構成を有するＴＶ信号・ＦＭ多重信号受信装置１２に接続されるＴＶ／ＦＭ多重切替制御部３０の具体的な一構成例、およびこのＴＶ／ＦＭ多重切替制御部３０と上記ＴＶ信号・ＦＭ多重信号受信装置１２との接続態様を示すブロック図である。このＴＶ／ＦＭ多重切替制御部３０は、車両などの移動体に搭載され、この移動体の経路を探索して移動案内を行なうナビゲーション装置３１と、移動案内情報を映像（或いは画像）の形で表示する表示装置（ディスプレイ）３２と、音声を出力する音響装置（スピーカ）３３とを備えている。またＴＶ／ＦＭ多重切替制御部３０は表示装置３２により表示される映像をＴＶ信号・ＦＭ多重信号受信装置１２から送付された映像データとナビゲーション装置３１から送付された映像データとの間で切り換える映像切換部３５と、音響装置３３により出力される音声をＴＶ信号・ＦＭ多重信号受信装置１２から送付された音声データとナビゲーション装置３１から送付された音声データとの間で切り換える音声切換部３６と、ＴＶ信号・ＦＭ多重信号受信装置１２およびＴＶ／ＦＭ多重切替制御部３０の動作全体を制御するマイクロコンピュータ３４とを有している。
【００３０】
ＴＶ／ＦＭ多重切替制御部３０のマイクロコンピュータ３４は、ＴＶ信号・ＦＭ多重信号受信装置１２の切替スイッチ２２および出力切替スイッチ２３の切り替え動作をコントロールすることは勿論のこと、本発明のＦＭ多重放送受信対応テレビジョン受信装置１０の動作全体を制御するものである。図３はマイクロコンピュータ３４による切替スイッチ２２および出力切替スイッチ２３の切り替え手順を示す流れ図である。図３の流れ図とともにＦＭ多重放送受信対応テレビジョン受信装置１０の動作を次に説明する。
【００３１】
（ＦＭ多重放送モード時）
ＦＭ多重放送受信対応テレビ受信装置１０がスイッチオン操作されて動作がスタートすると、マイクロコンピュータ３４は、ＦＭ多重信号が選択されたか否かをチェックし（ステップＳＴ１）、ＦＭ多重信号が選択されていなければ次にＴＶ信号が選択されたか否かをチェックし（ステップＳＴ３）、このＦＭ多重信号も選択されていなければ再度ＴＶ信号が選択されたか否かをチェックする（ステップＳＴ１）。これにより操作者によるモード選択操作があったか否かのチェックが繰り返される。このチェック動作中において、操作者が図示せぬ操作釦を介してＦＭ多重放送モードを選択すると、マイクロコンピュータ３４は、ステップＳＴ１において、ＦＭ多重信号が選択されたことを認識してステップＳＴ２へ移行し、切替スイッチ２２および出力切替スイッチ２３を制御し、混合器１８の出力をＦＭ多重用セラミックフィルタ２０に導き、音声検波回路２１の出力をＴＶ／ＦＭ多重切替制御部３０に導くとともに、音声用セラミックフィルタ１９を混合器１８および音声検波回路２１から切り離す（ステップＳＴ２）。図３に示すフロー図の左側の処理ブロックは、このＦＭ多重放送モード時の処理動作手順を説明するものである。
【００３２】
このＦＭ多重放送モード状態では、アンテナ１１がＦＭ多重放送とテレビ放送波を受信し、その受信した電波が電気信号に変換されてＲＦ回路１３に入力される。ＲＦ回路１３は、電気信号が入力されると、入力された電気信号から所定の周波数の電気信号を選出し、さらに選出した電気信号を周波数変換してＦＭ多重放送に関係する周波数の中間周波信号を生成し、選出した中間波信号を音声用ＳＡＷフィルタ１６に入力する。そして、音声用ＳＡＷフィルタ１６は、中間周波信号が入力されると、入力された中間周波信号からＦＭ多重放送に関係する周波数の中間周波信号を選出して出力する。この中間周波信号は、混合器１８により発振器１７からの周波数信号と乗算処理され、乗算処理後の中間周波信号はＦＭ多重用セラミックフィルタ２０に入力される。ＦＭ多重用セラミックフィルタ２０は、中間周波信号が入力されると、入力された中間周波信号から音声信号を生成する。生成された音声信号は音声検波回路２１へ送付され、さらにＦＭ多重データとしてＴＶ／ＦＭ多重切替制御部３０へ出力される。
【００３３】
ＴＶ／ＦＭ多重切替制御部３０内ではＦＭ多重信号を利用する機器としてナビゲーション装置３１が組み込まれているから、このナビゲーション装置３１がＦＭ多重データを受け取って音響装置３３へ出力する。このとき、マイクロコンピュータ３４はＴＶ信号・ＦＭ多重信号受信装置１２からＦＭ多重放送モードの動作である旨の通知を受けているので音声切換部３６を制御してナビゲーション装置３１と音響装置３３とを接続し、ＦＭ多重放送による音声が出力できるようにする。マイクロコンピュータ３４はステップＳＴ２の処理を実行した後はステップＳＴ１に戻り、操作者による選択操作があったか否かのチェックを行なう。
【００３４】
（テレビ放送モード時）
上述したのと同様に、マイクロコンピュータ３４が、操作者によるモード選択操作があったか否かのチェックを行なっている（ステップＳＴ１→ステップＳＴ３→ステップＳＴ１）動作中において、操作者が図示せぬ操作釦を介してテレビ放送モードを選択すると、マイクロコンピュータ３４は、ステップＳＴ３において、ＴＶ信号が選択されたことを認識してステップＳＴ４へと移行し、切替スイッチ２２および出力切替スイッチ２３を制御し、音声用ＳＡＷフィルタ１６を音声用セラミックフィルタ１９に接続し、また音声用ＳＡＷフィルタ１９および音声検波回路２１の出力部を音声データ出力端子に接続する一方、ＦＭ多重用セラミックフィルタ２０を音声用ＳＡＷフィルタ１６およびＴＶ／ＦＭ多重切替制御部３０から切り離す（ステップＳＴ４）。図１はその状態を示している。また、図３に示すフロー図の右側の処理ブロックは、このテレビ放送モード時の処理動作手順を説明するものである。
【００３５】
このテレビ放送モード状態では、アンテナ１１がＦＭ多重放送とテレビ放送波を受信し、その受信した電波が電気信号に変換されてＲＦ回路１３に入力される。ＲＦ回路１３は、電気信号が入力されると、入力された電気信号のうちから映像信号を選出し、この映像信号を周波数変換して映像用ＳＡＷフィルタ１４に入力する。映像用ＳＡＷフィルタ１４は、映像信号が入力されるとビデオ出力用の映像データを生成する。生成された映像データは映像検波回路１５へ送付され、さらに映像データ出力端子へ出力される。
【００３６】
また、ＲＦ回路１３は、電気信号が入力されると、入力された電気信号から所定の周波数の電気信号を選出し、さらに選出した電気信号を周波数変換してＴＶ放送に関係する周波数の中間周波信号を選出し、選出した中間波信号を音声用ＳＡＷフィルタ１６に入力する。そして、音声用ＳＡＷフィルタ１６は、中間周波信号が入力されると、入力された中間周波信号の中からＴＶ放送に関係する周波数の中間周波信号を選出して出力する。この中間周波信号は、混合器１８により発振器１７からの周波数信号と乗算処理され、乗算処理後の中間周波信号は音声用セラミックフィルタ１９に入力される。音声用セラミックフィルタ１９は、中間周波信号が入力されると、入力された中間周波信号から音声信号を生成する。生成された音声信号は音声検波回路２１へ送付され、さらに音声データとして音声データ出力端子へ出力される。上記映像データおよび音声データはともにＴＶ／ＦＭ多重切替制御部３０へ送られ、それぞれ表示装置３２および音響装置３３に入力される。
【００３７】
ＴＶ／ＦＭ多重切替制御部３０内では、マイクロコンピュータ３４はＴＶ信号・ＦＭ多重信号受信装置１２からＴＶ放送モードの動作である旨の通知を受けているので映像切換部３５および音声切換部３６を制御して映像データを表示装置３２へ導き、また音声データを音響装置３４へ導くように制御する。マイクロコンピュータ３４はステップＳＴ４の処理を実行した後はステップＳＴ１に戻り、操作者による選択操作があったか否かのチェックを行なう。なお、以上の一連の、ＦＭ多重放送モード時およびテレビ放送モード時におけるマイクロコンピュータ３４の処理動作は、ＦＭ多重放送受信対応テレビ受信装置１０がスイッチオフ操作されることにより終了する。
【００３８】
以上のように、本発明のＦＭ多重放送受信対応テレビジョン受信装置１０では、一つのＲＦ回路１３でテレビ放送の受信とＦＭ多重放送の受信を行うことができる。そして、ＲＦ回路１３で選出した電気信号から中間周波信号の中からＦＭ多重放送に関係する周波数の選出、あるいはテレビ放送に関係する周波数の選出を行うための音声用ＳＡＷフィルタ１６と、音声用セラミックフィルタ１９およびＦＭ多重用セラミックフィルタ２０をそれぞれ用意しておき、受信モードに応じて使用するセラミックフィルタ１９、２０を切り替えるようにし、選出される周波数の中間周波信号によって使用するフィルタを使い分けるので、フィルタの帯域を広げることなく、テレビ放送の受信とＦＭ多重放送の受信を行うことができる。これにより、ＦＭ多重放送を受信することによる、テレビ放送における音声信号のＳＮ比の悪化を抑えることができるとともに、中間周波近傍での耐ノイズ特性の改善が図れ、さらにＦＭ多重放送復調における誤り率を抑えることもできる。
【００３９】
なお、上記実施の形態の構造では、ＦＭ放送用の中間周波信号の選出及びＴＶ放送用の中間周波信号の選出を、ＳＡＷフィルタを使用して選出する場合について説明したが、それ以外のフィルタを使用してもよいものである。
【００４０】
【発明の効果】
以上説明したように、本発明はＦＭ多重放送受信対応テレビジョン受信装置は、上記実施の形態より明らかなように、ＲＦ回路で選出した中間周波数信号の中からＦＭ多重放送に関係する周波数の選出、あるいはテレビ放送に関係する周波数の選出を行うためのフィルタを複数用意しておき、受信モードに応じて使用するフィルタを切り替えて使い分けるようにしているので、フィルタの帯域を広げることなく、テレビ放送に関係する周波数の選出とＦＭ多重放送に関係する周波数の選出を行うことができる。これにより、ＦＭ多重放送を受信することによる、テレビ放送における音声信号のＳＮ比の悪化を抑えることができるとともに、中間周波近傍での耐ノイズ特性の改善が図れ、さらにＦＭ多重放送復調における誤り率を抑えることもできるというきわめて優れた効果が期待できる。
【図面の簡単な説明】
【図１】本発明の一実施の形態に係るＦＭ多重放送受信対応テレビジョン受信装置の内部構成のブロック図
【図２】前記実施の形態におけるＴＶ／ＦＭ多重切替制御部の具体的な一構成例、およびＴＶ信号・ＦＭ多重信号受信装置との接続態様を示すブロック図
【図３】前記実施の形態におけるフィルタ切り替え動作の手順の一例を説明するフロー図
【図４】従来のＦＭ多重放送受信対応テレビジョン受信装置の内部構成を示すブロック図
【符号の説明】
１０　　ＦＭ多重放送受信対応テレビジョン受信装置
１１　　アンテナ
１２　　ＴＶ信号・ＦＭ多重信号受信装置
１３　　ＲＦ回路
１４　映像用ＳＡＷフィルタ
１５　　映像検波回路
１６　　音声用ＳＡＷフィルタ
１７　発振器
１８　　混合器
１９　　音声用セラミックフィルタ
２０　　ＦＭ多重用セラミックフィルタ
２１　　音声検波回路
２２　　切替スイッチ
２３　　出力切替スイッチ
３０　　ＴＶ／ＦＭ多重切換制御部
３１　　ナビゲーション装置
３２　　表示装置
３３　　音響装置
３４　　マイクロコンピュータ
３５　　映像切換部
３６　　音声切換部
【図１】
2004040255.tif 000003
【図２】
2004040255.tif 000004
【図３】
2004040255.tif 000005
【図４】
2004040255.tif 000006